(57)【要約】【課題】サンダルなどの履物について、簡単な構造で足裏の土踏まずが載る部分の盛り上がり高さや形状を調整できるようにする。【解決手段】サンダル１０のインソール１１の土踏まず部にはめ込み穴１１ａを形成し、このはめ込み穴１１ａに土踏まずパッド１３を着脱可能にはめ込むようにする。インソール１１と別体に土踏まずパッド１３を形成したので、盛り上がり高さ、形状の異なる複数のパッド１３を用意して交換することで、簡単に土踏まずが載る部分の高さ、形状等を適宜調整できる。形状等の異なるサンダル全体を複数種用意する場合に比べて、コストが抑えられる。【選択図】図１
0003141211.tif 000002
【実用新案登録請求の範囲】
【請求項１】
上面の土踏まず部に凹部が形成された履物底と、
前記履物底の凹部に着脱可能にはめ込まれ、履物底上面から盛り上がる土踏まずパッドと、
前記履物底の上方に連設されるアッパーと、を備える履物。
【請求項２】
前記土踏まずパッドは、その上面にツボ押し突起を有する請求項１に記載の履物。
【請求項３】
前記土踏まずパッドは、その下面にくりぬき穴を有する請求項１または２に記載の履物。
【請求項４】
前記土踏まずパッドは、その前部または後部に標示切り欠きを有する請求項１から３のいずれかに記載の履物。
【請求項５】
前記履物底本体の凹部は、履物底本体の長さ方向に長い平面視長円形であり、
前記土踏まずパッドは、これに過不足なくはまり込む平面視長円形である請求項１から４のいずれかに記載の履物。
【請求項６】
前記土踏まずパッドの上面は、足の中足骨に沿うように盛り上がった請求項１から５のいずれかに記載の履物。
【考案の詳細な説明】
【技術分野】
【０００１】
この考案は、サンダルなどの履物に関する。
【背景技術】
【０００２】
サンダルなどの履物においては、履物底の上面は、足裏の形状に沿うように、その土踏まず部が盛り上がった形状に形成されている。
この種の履物底は、土踏まず部とその他の部（かかと部、つま先部等）とが一体的に形成されているため、土踏まず部の盛り上がり高さや形状を調節することはできなかった。
しかし、人の足裏の形状は個人差が大きく、また同じ人でもその日の体調や気分、履物を履く時間の長短、など状況に応じて土踏まず部の盛り上がり高さ等を調節できるようにしたい場合もある。
この場合に、履物全体について、土踏まず部の盛り上がり高さ等を違えた複数種を用意するのはコスト高になる。
したがって、履物底自体はそのままで、土踏まず部の盛り上がり高さ等のみを適宜調節できるようにすると便利である。
【考案の開示】
【考案が解決しようとする課題】
【０００３】
そこでこの考案の解決すべき課題は、サンダルなどの履物について、簡単な構造で足裏の土踏まずが載る部分の盛り上がり高さや形状を調整できるようにすることである。
【課題を解決するための手段】
【０００４】
前記課題を解決するため、考案にかかる履物を、上面の土踏まず部にはめ込み穴が形成された履物底と、前記履物底のはめ込み穴に着脱可能にはめ込まれ、履物底上面から盛り上がる土踏まずパッドと、前記履物底の上方に連設されるアッパーと、を備える構成にしたのである。
【０００５】
このように、履物を履いた際に土踏まずが載る部分を、履物底と別体に形成した土踏まずパッドとし、これを履物底に対して着脱可能としたので、盛り上がり高さ、形状の異なる複数の土踏まずパッドを用意して交換することで、土踏まずが載る部分の高さ、形状等を適宜調整できる。
土踏まずパッドだけを複数種用意すればよいので、履物全体を複数種用意する場合に比べてコストを抑えられる。
【０００６】
前記土踏まずパッドは、その上面にツボ押し突起を有するものとすると、足裏のツボが刺激されるため、履物を履いた際に心地よく、また健康にもよい。
【０００７】
前記土踏まずパッドは、その下面にくりぬき穴を有するものとすると、パッドの軽量化、ひいては履物全体の軽量化が図られる。
また、このくりぬき穴によって土踏まずパッドが弾性変形させやすくなっているため、履物底のはめ込み穴に隙間なくはめ込むことが容易となる。
【０００８】
前記土踏まずパッドは、その前部または後部に標示切り欠きを有するものとすると、パッドを履物底のはめ込み穴にはめ込む際に前後を間違えることが防止される。
また、この標示切り欠きに金具等を引っ掛けると、パッドを履物底から取り外す事が容易となる。
【０００９】
前記履物底のはめ込み穴は、履物底の長さ方向に長い平面視長円形であり、前記土踏まずパッドは、これに対応する平面視長円形であるのが、扱いやすく、見た目もよいため好ましい。
【００１０】
前記土踏まずパッドの上面は、足の中足骨に沿うように盛り上がったものとすると、履物を履いた状態で体の重心が安定し、また脚が真っ直ぐに伸びる。
そのため、脚が綺麗にみえ、また長時間履いても疲れにくい。
【考案の効果】
【００１１】
履物底上面の土踏まずが載る部分にはめ込み穴を形成し、このはめ込み穴に土踏まずに押し当たる土踏まずパッドを着脱可能にはめ込むようにしたので、簡単な構造で履物の土踏まず部分の盛り上がり具合等を変えることが可能である。
【考案を実施するための最良の形態】
【００１２】
図1および図３にしめす実施形態のサンダル１０は、履物底１１、１２と、履物底１１，１２の上面にはめ込まれる土踏まずパッド１３（以下、パッド１３と略す。）と、履物底１１、１２の上面の一部を覆う甲部１４と、を備える。
【００１３】
履物底１１、１２は、上面に足裏が載るインソール１１と、下面が接地するアウトソール１２との二重構造になっている。
合成皮革等から形成されたインソール１１上面はほぼフラットであるが、その長さ方向の中程、すなわち足裏の土踏まずが載る土踏まず部はくりぬかれてはめ込み穴１１ａが形成されている。
このはめ込み穴１１ａは、インソール１１の長手方向に長いほぼ長円形になっているが、かかと部からつま先部に向けてその幅が漸増している。
また、はめ込み穴１１ａは足裏の土踏まずの範囲にほぼ対応した大きさになっている。
さらに、合成ゴム等から形成されたアウトソールはそのヒール部１２ａが高くなって、このサンダル１０は全体としてハイヒール型になっている。
【００１４】
図１から図３のように、パッド１３は、その平面視が前記はめ込み穴１１ａにほぼ対応した長円形になっており、その後端部から前端部に向けて幅が漸増している。
また、パッド１３の厚みは、インソール１１の厚みとほぼ等しくなっている。
さらに、パッド１３はポリウレタン等の弾性を有する材料から形成されており、弾性変形させてインソール１１のはめ込み穴１１ａに着脱可能にはめ込まれるようになっている。
【００１５】
また、パッド１３は全体として長手方向および短手方向に上向きに湾曲しており、外縁部が低く中心部が高くなっている。
この湾曲は、足の中足骨にほぼ沿ったもの（縦足および横足に沿ったもの）となっている。
図２のように、外縁部と中心部の上面の高さの差はｈ１となっている。
そのため、パッド１３をはめ込み穴１１ａにはめ込むと、外縁部の上面はインソール１１の上面とほぼ面一であるが、中心部に向かってインソール１１の上面から盛り上がっている（中心部ではｈ１分だけ盛り上がっている。）。
したがって、パッド１３がはめ込まれたインソール１１に足裏を載せると、パッド１３の上面が土踏まずにほぼ沿うようになっている。
【００１６】
また図２のように、パッド１３の下面には、ほぼ全域にわたって多数の半球形のくりぬき穴１３ａが形成されており、くりぬき穴１３ａがない場合と比べてパッド１３の軽量化が図られている。
そしてくりぬき穴１３ａがない場合と比べて弾性変形させやすくなっているため、はめ込み穴１１ａにはめ込みやすく、また弾性変形させた状態から復元することで、はめ込み穴１１ａにぴったりとほぼ隙間なくはまり込むようになっている。
パッド１３は、平面視がほぼ長円形であるため、取り扱いが容易であり、またインソール１１にはめ込んだ際にデザイン的に面白みがある。
【００１７】
さらにパッド１３下面の後端部にはパッド１３の外縁に至る標示切り欠き１３ｂが形成されている。
標示切り欠き１３ｂは、パッド１３の外縁に向かうにつれてその深さが漸増する楔形をなし、外縁ではパッド１３のほぼ上面にまで達している。
このように、後端部に標示切り欠き１３ｂがあるために、パッド１３をはめ込み穴１１ａにはめ込む際に、前後を間違うことがなくなる。
また、パッド１３をインソール１１から取り外す際には、パッド１３とはめ込み穴１１ａの縁部との間に金具等を差し込み、この金具等を標示切り欠き１３ｂに引っ掛けて倒すと取り外しが容易となる。
上記のように標示切り欠き１３ｂは、楔形であるため、金具等を引っ掛けやすく、また引っ掛けた金具等を倒しやすくなっている。
たとえばこの標示切り欠き１３ｂに硬貨を引っ掛けて倒すと、この引っ掛けた部分を作用点、はめ込み穴１１ａの縁部に当接する部分を支点、引っ掛けた部分と逆側の硬貨縁部を作用点として、てこの原理により取り外しに力が要らない。
【００１８】
合成皮革等から形成されるアッパー１４は、その両端が履物底の両側縁に連結されており、インソール１１の上方でアーチ形をなしており、サンダル１０を履いた際に、足の甲を覆うようになっている。
【００１９】
図４は、パッド１３の他の例を示し、図示のように中心部と外縁部の高さの差ｈ２が図２のパッド１３の高さの差ｈ１に比べて大きくなっている。
したがって、このパッド１３をインソール１１のはめ込み穴１１ａにはめ込むとインソール１１上面からの盛り上がりがより大きくなる。
この湾曲は、足の中足骨にほぼ沿ったもの（縦足および横足にそったもの）となっている。
こうして、図２と図３のような高さの異なる複数種のパッド１３を用意すると、パッド１３を取り替えることで個人差の大きな足裏の形状にサンダル１０をフィットさせることが可能となる。
なお同じ人でも、状況に応じて土踏まずに当たる部分の盛り上がり高さを調節したい場合も有るが、パッド１３を交換することでそのような要求にも応えることができる。
【００２０】
また、図４のようにパッド１３の厚みは、縁部から中心部に向かうにつれて漸増しているが、下面のくりぬき穴１３ａの深さも、これに対応して縁部から中心部に向かうにつれて漸増している。
そのため、中心部のくりぬき穴１３ａと縁部のくりぬき穴１３ａを同じ深さにする場合と比較して、軽量化が図られており、弾性変形しやすくなっている。
このため、
【００２１】
図５は、パッド１３のさらに他の例を示し、図示のように、この例ではパッド１３の上面のほぼ全域には、半球状のツボ押し突起１３ｃが形成されており、くりぬき穴１３ａとツボ押し突起１３ｃとは、ほぼ補完形状をなしている。
パッド１３をインソール１１のはめ込み穴１１ａにはめ込み、サンダル１０を履くと、土踏まずにツボ押し突起１３ｃが当たり、そのツボを押して刺激するため、心地よく健康にもよい。
パッド１３のツボ押し突起１３ｃを除いた上面の湾曲は、足の中足骨にほぼ沿ったもの（縦足および横足にそったもの）となっている。
【００２２】
こうして、上記各例のように、形状の異なる複数種のパッド１３を用意すると、パッド１３を取り替えるだけで、サンダル１０の土踏まず部分の形状を状況に応じて簡単に変化させることができる。
形状の異なるサンダル全体を複数種用意する場合に比べて、パッド１３のみの交換で済むため、コストを抑えられる。
【００２３】
いずれの例も、パッド１３上面の盛り上がりを足の中足骨に沿った形状に形成しているので、サンダル１０を履いた際に体の重心が安定する。
そのため、サンダル１０を履いた状態で、脚ががに股状に曲がらず、真っ直ぐに伸びることになる。
重心が安定し脚が伸びるため、体に負担がかからず長時間履いても疲れにくい。
また脚が伸びるため、綺麗に見える。
【００２４】
以上の例では、サンダル１０について述べたが、他の履物全般（たとえばブーツ、運動靴）についてこの考案を適用することが可能である。
すなわち、パッド１３、はめ込み穴１１ａ以外の構造は、以上の例には限定されない。
たとえばサンダル１０について、アッパー１４がつま先までを覆うような形状としてもよい。
【図面の簡単な説明】
【００２５】
【図１】サンダルの一部切り欠き斜視図
【図２】土踏まずパッドの（ａ）は下面から見た斜視図、（ｂ）は縦断面図
【図３】サンダルの縦断面図
【図４】他の例の土踏まずパッドの縦断面図
【図５】他の例の土踏まずパッドの（ａ）は上面から見た斜視図、（ｂ）は縦断面図
【符号の説明】
【００２６】
１０  サンダル
１１  インソール
１１ａ  はめ込み穴
１２  アウトソール
１２ａ  ヒール
１３  土踏まずパッド
１３ａ  くりぬき穴
１３ｂ  標示切り欠き
１３ｃ  ツボ押し突起
１４  アッパー
【図１】
0003141211.tif 000003
【図２】
0003141211.tif 000004
【図３】
0003141211.tif 000005
【図４】
0003141211.tif 000006
【図５】
0003141211.tif 000007